【事件の表示】
　特許第３１５５９９６号「カラー液晶表示装置」の請求項１ないし３に係る特許に対する特許異議の申立てについて、次のとおり決定する。
【結　論】
　訂正を認める。
　特許第３１５５９９６号の請求項１、２に係る特許を維持する。
【理　由】
１．手続の経緯
　特許第３１５５９９６号の請求項１〜３に係る発明についての出願は、平成７年１２月１２日の出願であって、平成１３年２月９日にその発明についての特許権の設定登録がされ、その後、その特許について、異議申立人古川京子により特許異議の申立てがなされ、取消の理由が通知され、その指定期間内である平成１４年４月３０日に訂正請求がなされたものである。
　
２．訂正の適否についての判断
(1) 訂正の内容
　特許権者が求めている訂正の内容は、以下のとおりである。
・訂正事項a　
　特許明細書の特許請求の範囲の請求項1の「直近の同色のドット」を、「直近に配置された同色のドット」に訂正する。
・訂正事項b
　特許明細書の特許請求の範囲の請求項1を削除して、代わりに、上記訂正事項ａで訂正した請求項１に元の請求項２を繰り入れて、請求項１を「対になる基板においてTFT回路が一側の基板に設けられ、他側の基板に共通電極とカラーフィルタがそれぞれ設けられ、両基板間に液晶が挟持され、TFT回路が走査線と信号線をマトリックス状に配線し走査線と信号線の交差領域にTFT本体と画素電極を設けて構成されたカラー液晶表示装置であって、1画面を第1フィールドと第2フィールドに2分割し、それぞれのフィールドを順次走査して交互に駆動するインターレース駆動が採用され、前記カラーフィルタは、赤、緑および青の3色の多数のマイクロカラーフィルタを有しており前記マイクロカラーフィルタの色配置は画面全体で均一に分布され、直近に配置された同色のドットが同一フィールドでは異なる極性の駆動電圧で駆動され、同一走査線について、同色のドットが2つずつ続けて配置されてなることを特徴とするカラー液晶表示装置。」（以下、「本件発明１」という。）と訂正する。
・訂正事項c
　上記訂正事項ａで訂正した請求項１に元の請求項３を繰り入れて、請求項２「対になる基板においてTFT回路が一側の基板に設けられ、他側の基板に共通電極とカラーフィルタがそれぞれ設けられ、両基板間に液晶が挟持され、TFT回路が走査線と信号線をマトリックス状に配線し走査線と信号線の交差領域にTFT本体と画素電極を設けて構成されたカラー液晶表示装置であって、1画面を第1フィールドと第2フィールに2分割し、それぞれのフィールドを順次走査して交互に駆動するインターレース駆動が採用され、前記カラーフィルタは、赤、緑および青の3色の多数のマイクロカラーフィルタを有しており前記マイクロカラーフィルタの色配置は画面全体で均一に分布され、直近に配置された同色のドットが同一フィールドでは異なる極性の駆動電圧で駆動され、1つおきの同一走査線に沿う3色のドットの並ぶ順序が同じであり、残りの1つおきの同一走査線に沿う3色のドットの並ぶ順序が前記1つおきの同一走査線に沿う並び順序と一列ずれて配置されてなることを特徴とするカラー液晶表示装置。」（以下、「本件発明２」という。）と訂正する。
・訂正事項d　
　特許請求の範囲の記載と発明の詳細な説明との整合性を取るため、発明の詳細な説明を、以下のように訂正する。
　即ち、特許明細書の【0017】において、「直近の同色のドットが同一フィールドでは異なる極性の駆動電圧で駆動されるものである。」とあるのを「直近に配置された同色のドットが同一フィールドでは異なる極性の駆動電圧で駆動され、前記の構造において同一走査線の画素について、同色ドットが2つずつ続けて配置されてなる。」に訂正する。
　更に、特許明細書の【0017】において、「前記の構造において同一走査線の画素について、同色ドットが2つずつ続けて配置されてなることが好ましい。前記の構造において、1つおきの同一走査線に沿う3色のドットの並ぶ順序が同じであり、残りの1つおきの同一走査線に沿う3色のドットの並ぶ順序が前記1つおきの同一走査線に沿う並び順序と一列ずれて配置されてなることが好ましい。」とあるのを「請求項2記載の発明は前記課題を解決するために、対になる基板においてTFT回路が一側の基板に設けられ、他側の基板に共通電極とカラーフィルタがそれぞれ設けられ、両基板間に液晶が挟持され、TFT回路が走査線と信号線をマトリックス状に配線し走査線と信号線の交差領域にTFT本体と画素電極を設けて構成されたカラー液晶表示装置であって、1画面を第1フィールドと第2フィールドに2分割し、それぞれのフィールドを順次走査して交互に駆動するインターレース駆動が採用され、前記カラーフィル夕は、赤、緑および青の3色の多数のマイクロカラーフィルタを有しており前記マイクロカラーフィルタの色配置は画面全体で均一に分布され、直近に配置された同色のドットが同一フィールドでは異なる極性の駆動電圧で駆動され、1つおきの同一走査線に沿う3色のドットの並ぶ順序が同じであり、残りの1つおきの同一走査線に沿う3色のドットの並ぶ順序が前記1つおきの同一走査線に沿う並び順序と一列ずれて配置されてなる。」に訂正する。
　特許明細書の【0026】において、「直近の同色ドット」とあるのを「直近に配置された同色ドット」に訂正する。
　
(2) 訂正の目的の適否、新規事項の有無、及び、特許請求の範囲の拡張・変更の存否
　上記訂正事項aは、ドットの位置を明瞭に記載するための訂正であり、特許明細書の請求項1に「マイクロカラーフィルタの色配置は〜」と記載され、特許明細書の【0013】に「RGBの各色を右斜め下がりモザイクパターン状に配置したカラーフィルタ」と記載され、同【0013】に「各色を左斜め下がりモザイク状に配置したカラーフィルタ」と記載され、同【0013】に「RGBの各色をトライアングルパターン状に配置したカラーフィルタ」と記載されていることを根拠とするものである。よって、上記訂正事項ａは、誤記の訂正または明瞭でない記載の釈明を目的とするものであって、新規事項の追加に該当せず、実質的に特許請求の範囲を拡張又は変更するものではない。
　上記訂正事項bは、もとの特許請求の範囲の請求項1にもとの特許請求の範囲の請求項2に記載された事項を含めるものであり、特許請求の範囲の減縮を目的とするものであって、新規事項の追加に該当せず、実質的に特許請求の範囲を拡張又は変更するものではない。
　上記訂正事項cは、もとの特許請求の範囲の請求項1にもとの特許請求の範囲の請求項３に記載された事項を含めるものであり、特許請求の範囲の減縮を目的とするものであって、新規事項の追加に該当せず、実質的に特許請求の範囲を拡張又は変更するものではない。
　上記訂正事項dは、特許請求の範囲と発明の詳細な説明との整合をとるためのものであり、誤記の訂正または明瞭でない記載の釈明を目的とするものであって、新規事項の追加に該当せず、実質的に特許請求の範囲を拡張又は変更するものではない。
　
(3) むすび
　したがって、上記訂正は、特許法第１２０条の４第２項及び第３項において準用する第１２６条第２項及び第３項の規定に適合するので、当該訂正を認める。
　
３．特許異議の申立て
(1) 申立ての理由の概要
　申立人は、下記の甲第１乃至３号証を提出し、特許第３１５５９９６号の請求項１に係る発明は、甲第１号証に記載された発明に基づいて、当業者が容易に発明をすることができたものであり、同請求項１、３に係る発明は、甲第２号証及び甲第３号証に記載された発明に基づいて、当業者が容易に発明をすることができたものであるから、特許法第２９条第２項の規定により、特許を受けることができない発明であって、また、請求項１乃至３に係る発明の特許は、その明細書が特許法第３６条第５項第２号に規定する要件を満たしていないので、これら発明に係る特許は取り消されるべきものである旨主張している。
　甲第１号証：特開平５−２１６４３５号公報（以下、「刊行物１」という。）
　甲第２号証：特開昭６２−２２３７２３号公報（以下、「刊行物２」という。）
　甲第３号証：特開昭６２−５２５２７号公報（以下、「刊行物３」という。）
　
(2) 新規性・進歩性について
Ａ．本件発明
　上記２．で示したように訂正が認められるから、本件発明は、平成１４年４月３０日付けの訂正請求書により訂正された特許請求の範囲の請求項１及び２に記載されたとおりのものである。（上記訂正事項b,c参照。）
　
Ｂ．引用刊行物に記載された発明
　申立人が提出した刊行物１には、
「２枚の透光性絶縁基板間に液晶が充填され、前記基板の片方または両方の内面に液晶画素を選択するための走査線と前記液晶画素へ駆動電圧を印加するためのデータ線とがマトリクス状に配設され、前記液晶画素には、赤または緑または青のカラーフィルタが配設され、前記赤、緑、青のカラーフィルタからなる前記液晶画素３個の組によりドットを形成する液晶表示部と、前記液晶表示部に信号電圧を印加する駆動回路とを備えた液晶表示装置において、前記ドットを構成する前記液晶画素の組に接続された３本の前記データ線の組への印加電圧を、前記ドットを駆動する前記データ線には前記印加電圧の振幅の中心値に対して同じ極性で供給し、前記ドットと隣合うドットを駆動する３本のデータ線には前記極性とは逆の極性になるように前記印加電圧を供給することを特徴とする液晶表示装置の駆動方法。」（特許請求の範囲）、
「【００１０】図１において、１は操作信号を送出する走査線駆動回路、２は画素に画像信号を供給するデータ線駆動回路、３及び４は走査線駆動回路１及びデータ線駆動回路２の信号を画素へ供給するためのバスライン、５は画素へ供給する信号を選択する機能を持ったＴＦＴ、６は画素電極、７は液晶、８は共通電極である。本実施例の場合、ドットはＲＧＢの３色により構成されている。」（段落番号【００１０】欄）、及び、
「【００１２】図３に示すように、同じドットに供給されるデータ信号（例えばＲ１，Ｇ１，Ｂ１）は共通電極電圧に対して同じ極性で、隣合うドットに供給されるデータ信号同士（例えばＲ１，Ｇ１，Ｂ１の組とＲ２，Ｇ２，Ｂ２の組）は共通電極電圧に対して互いに逆の極性になるようにバスラインに信号を送出する信号の供給方法を図１及び図２で構成される液晶表示装置に適用することにより、簡易な制御回路の構成のままでフリッカの軽減された表示を得ることが出来る。
【００１３】本実施例では、画素電極を駆動するのに薄膜電界効果型トランジスタを使用したアクティブマトリックス型の液晶表示装置の例を用いて説明を行ったが、本発明ではこれに限らず走査線とデータ線とがマトリクス配列になっていれば適用が可能である。
【００１４】本発明の駆動方法を、ゲート線４００本、ドレイン線ＲＧＢ各６４０本で構成される薄膜電界効果型トランジスタを用いたアクティブマトリクス型液晶表示装置を６０Ｈｚのインターレースで駆動する場合に適用した。その結果本発明の駆動方法を用いた場合は、従来のフリッカを軽減する駆動方法よりも周辺の駆動回路は簡略化されているにも関わらず、フリッカが従来の方法と同程度まで低減され、液晶表示装置使用者の疲労度が軽減した。」（段落番号【００１２】乃至【００１４】）と記載され、
図１には、液晶表示装置の等価回路が、図３には、データ線の信号波形図が、それぞれ示されている。
　同じく刊行物２には、
「第１図は本発明を示す図で、41a，41b，41c・・・はデータライン、42a，42b，42c・・・はゲートライン、そして、データライン及びゲートラインの交点にはTFTがある（第１図の43）。TFTのソース電極は表示電極44に接続されるが、第１図に示すように一本のデータラインからの信号を受ける表示電極はゲートライン毎に、データラインの左右に設けられている。又、このデータライン沿いにジグザグに設けられた表示電極は同じ色のカラーフィルタを配置しており、そのデータラインの信号に応じた表示を行なう。この様な配置を行うことにより、機能的にはストライプカラーパターン配置と同じでしかも、見かけ上の空間分解能を高めた表示が可能となる。要するに、本発明は同一のデータラインからTFTを介して接続される表示電極は同一のカラーフィルタを配置させかつ、表示電極の並びがストライプとならないようにするところが特徴で、ストライプ配置と同一の駆動法でかつ見かけ上の空間分解能を高めたカラー表示液晶ディスプレイを実現したものである。」（３頁左上欄１６行〜右上欄１６行）、及び、
「第２図（ａ）において、ビデオ信号は奇数及び偶数フィールドに分けて映像信号が送られてきている。奇数フィールドでは、１番目（H1），３番目（H3），５番目（H5）・・・の順に、各走査線上の映像信号が送られ、偶数フィールドでは２番目（H2），４番目（H4），６番目（H6）・・・となる。VＧｉはi番目のゲートラインの電圧変化を示したもので、VＧ５はH5，H６のときにa−SiTFTをonさせるパルスが加えられ、VＧ7はH7，H８のときにa−SiTFTをonさせるようにパルスが印加される。すなわちa−SiTFTアレーは２本の連続したゲートライン上のTFTが同時にonされ２線同次駆動となる。しかし、奇数フィールドでは（Zi−1）番目と（Zi）番目が選択され、偶数フィールドでは（Zi）番目と（Zi＋1）番目が選択されるため、空間的な分割能は、奇数、偶数フィールド共に同一組み合せ（例えば（Zi）番目と（Zi＋1））のゲートラインを選択する方法よりも高くなる。しかも、 データライン側の駆動回路は従来の小型（ゲートライン数は一フィールド内の走査線数以下）LCDと同一のものが使用でき、ゲート駆動回路に若干の工夫を施すだけで済む。しかも、カラーフィルタがストライプ状でないため非常に見やすい画面を実現できる。」（３頁左下欄１５行〜右下欄１８行）と記載され、
図１には、カラー表示液晶ディスプレイ装置の画素の配置図が、第２図(b)には、奇数フィールド及び偶数フィールドで印可される電圧の極性が、それぞれ示されている。
　同じく刊行物３には、
「２０は第１図で示した表示素子のマトリクスである。ゲート線Ｇ１〜Ｇｎはゲート線選択回路２１に接続している。信号線Ｓ１〜Ｓｍは切替スイッチ２２〜２５に接続している。切替スイッチはシフトレジスタ３０からの２つの表示信号の一方を信号線に伝達する機能を有している。
　一行の画素に対応した赤、青、緑各色の表示データを入力すると、シフトレジスタは所定の回数転送し、上記表示データを記憶する。奇数番のゲート線が選択されると、切替スイッチはシフトレジスタに記憶している一方の表示信号を信号線に伝達する。これにより一行の画素に表示信号が伝達される。
　次に、偶数番のゲート線を選択すると切替スイッチはシフトレジスタの他の表示信号を信号線に伝達する。これにより一行の画素に表示信号が伝達される。」（３頁左上欄６行〜右上欄１行）、及び、
「第５図はゲート線の飛越し走査を行う場合の構成図である。」（３頁左下欄６行〜７行）と記載され、
図１には、多色表示素子の画素配置図が示されている。
　
Ｃ．対比・判断
・本件発明１について
　本件発明１と刊行物１乃至３記載の発明とを比較すると、刊行物１乃至３のいずれにも「1画面を第1フィールドと第2フィールドに2分割し、それぞれのフィールドを順次走査して交互に駆動するインターレース駆動が採用され、前記カラーフィルタは、赤、緑および青の3色の多数のマイクロカラーフィルタを有しており前記マイクロカラーフィルタの色配置は画面全体で均一に分布され、直近に配置された同色のドットが同一フィールドでは異なる極性の駆動電圧で駆動され、同一走査線について、同色のドットが2つずつ続けて配置されて」いる点が、記載も示唆もされていない。
　そして、本件発明は、上記点により、特許明細書記載の「斜めスジを目立たなくすることができる。」（特許公報４頁右欄３０行〜３１行）という効果を奏するものである。
　よって、本件発明１は、申立人が提出した刊行物１乃至３に記載された発明に基づいて当業者が容易に発明できたものでもないので、特許法第２９条第２項の規定に違反しているとはいえない。
　
・本件発明２について
　本件発明２と刊行物１乃至３記載の発明とを比較すると、刊行物１乃至３のいずれにも「1画面を第1フィールドと第2フィールに2分割し、それぞれのフィールドを順次走査して交互に駆動するインターレース駆動が採用され、前記カラーフィルタは、赤、緑および青の3色の多数のマイクロカラーフィルタを有しており前記マイクロカラーフィルタの色配置は画面全体で均一に分布され、直近に配置された同色のドットが同一フィールドでは異なる極性の駆動電圧で駆動され、1つおきの同一走査線に沿う3色のドットの並ぶ順序が同じであり、残りの1つおきの同一走査線に沿う3色のドットの並ぶ順序が前記1つおきの同一走査線に沿う並び順序と一列ずれて配置されて」いる点が、記載も示唆もされていない。
　即ち、刊行物１記載の発明は、その図１の記載からわかるように、同色のドットが縦一列に並んで配置されているものであって、1つおきの同一走査線に沿う3色のドットの並ぶ順序が同じであり、残りの1つおきの同一走査線に沿う3色のドットの並ぶ順序が前記1つおきの同一走査線に沿う並び順序と一列ずれて配置されていないし、直近に配置された同色のドットが同一フィールドでは異なる極性の駆動電圧で駆動されていない。
　また、刊行物２または３記載の発明において、そのドット配列に周知の点ドット反転駆動を採用することは、本件発明２の「斜めスジを目立たなくすることができる。」（特許公報４頁右欄３０行〜３１行）という、当業者が刊行物２、３または周知技術から、予測し得ない効果を奏するものであり、当業者が容易になしえたものであるとはいえない。
　よって、本件発明２は、申立人が提出した刊行物１乃至３に記載された発明に基づいて当業者が容易に発明できたものでもないので、特許法第２９条第２項の規定に違反しているとはいえない。
　
(3) 記載不備について
　申立人が主張している記載不備については、平成１４年４月３０日付けの訂正により全て解消されたので、本件は、その明細書が特許法第３６条第６項第２号に規定する要件を満たしていないとはいえない。
　
４．むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１４年５月２１日（２００２．５．２１）
【訂正の要旨】
訂正の要旨
▲１▼訂正事項ａ
　特許掲載公報の特許請求の範囲の請求項１に、「直近の同色のドット」とあるのを、特許請求の範囲の記載と発明の詳細な説明の整合を取るため、「直近に配置された同色のドット」に訂正する。
▲２▼訂正事項ｂ
　特許掲載公報の特許請求の範囲の請求項１に、「同一フィールドでは異なる極性の駆動電圧で駆動されてなる」とあるのを、特許請求の範囲の減縮を目的として、「同一フィールドでは異なる極性の駆動電圧で駆動され、同一走査線について、同色のドットが２つずつ続けて配置されてなる」に訂正する。即ち、もとの請求項１に、もとの請求項２に記載されていた事項を含める訂正である。
▲３▼訂正事項ｃ
　特許掲載公報の特許請求の範囲第２項において、特許請求の範囲の減縮を目的として、もとの請求項２の内容を削除するとともに、もとの請求項１と、もとの請求項３の内容を合わせた事項からなる請求項２に訂正する。
なお、もとの請求項１に「直近の同色のドット」とあるのを、特許請求の範
囲の記載と発明の詳細な説明の整合を取るため、「直近に配置された同色のドット」に訂正する。
▲４▼訂正事項ｄ
　特許請求の範囲の記載と発明の詳細な説明との整合性を取るため、発明の詳細な説明において、以下のように訂正する。
　即ち、特許掲載公報の【００１７】において、「直近の同色のドットが同一フィールドでは異なる極性の駆動電圧で駆動されるものである。」とあるのを「直近に配置された同色のドットが同一フィールドでは異なる極性の駆動電圧で駆動され、前記の構造において同一走査線の画素について、同色ドットが２つずつ続けて配置されてなる。」に訂正する。
　更に、特許掲載公報の【００１７】において、「前記の構造において同一走査線の画素について、同色ドットが２つずつ続けて配置されてなることが好ましい。前記の構造において、１つおきの同一走査線に沿う３色のドットの並ぶ順序が同じであり、残りの１つおきの同一走査線に沿う３色のドットの並ぶ順序が前記１つおきの同一走査線に沿う並び順序と一列ずれて配置されてなることが好ましい。」とあるのを「請求項２記載の発明は前記課題を解決するために、対になる基板においてＴＦＴ回路が一側の基板に設けられ、他側の基板に共通電極とカラーフィルタがそれぞれ設けられ、両基板間に液晶が挟持され、ＴＦＴ回路が走査線と信号線をマトリックス状に配線し走査線と信号線の交差領域にＴＦＴ本体と画素電極を設けて構成されたカラー液晶表示装置であって、１画面を第１フィールドと第２フィールドもこ２分割し、それぞれのフィールドを順次走査して交互に駆動するインターレース駆動が採用され、前記カラーフィルタは、赤、緑および青の３色の多数のマイクロカラーフィルタを有しており前記マイクロカラーフィルタの色配置は画面全体で均一に分布され、直近に配置された同色のドットが同一フィールドでは異なる極性の駆動電圧で駆動され、１つおきの同一走査線に沿う３色のドットの並ぶ順序が同じであり、残りの１つおきの同一走査線に沿う３色のドットの並ぶ順序が前記１つおきの同一走査線に沿う並び順序と一列ずれて配置されてなる。」に訂正する。
　特許掲載公報の【００２６】において、「直近の同色ドット」とあるのを「
直近に配置された同色ドット」に訂正する。
（５４）【発明の名称】
カラー液晶表示装置
（５７）【特許請求の範囲】
　【請求項１】　対になる基板においてＴＦＴ回路が一側の基板に設けられ、他側の基板に共通電極とカラーフィルタがそれぞれ設けられ、両基板間に液晶が挾持され、ＴＦＴ回路が走査線と信号線をマトリックス状に配線し走査線と信号線の交差領域にＴＦＴ本体と画素電極を設けて構成されたカラー液晶表示装置であって、
　１画面を第１フィールドと第２フィールドに２分割し、それぞれのフィールドを順次走査して交互に駆動するインターレース駆動が採用され、前記カラーフィルタは、赤、緑および青の３色の多数のマイクロカラーフィルタを有しており前記マイクロカラーフィルタの色配置は画面全体で均一に分布され、直近
に配置された
　
同一走査線について、同色のドットが２つずつ続けて配置されてな
　【請求項２】　対になる基板においてＴＦＴ回路が一側の基板に設けられ、他側の基板に共通電極とカラーフィルタがそれぞれ設けられ、両基板間に液晶が挾持され、ＴＦＴ回路が走査線と信号線をマトリックス状に配線し走査線と信号線の交差領域にＴＦＴ本体と画素電極を設けて構成されたカラー液晶表示装置であって、
　１画面を第１フィールドと第２フィールドに２分割し、それぞれのフィールドを順次走査して交互に駆動するインターレース駆動が採用され、前記カラーフィルタは、赤、緑および青の３色の多数のマイクロカラーフィルタを有しており前記マイクロカラーフィルタの色配置は画面全体で均一に分布され、直近
に配置された
　
１つおきの同一走査線に沿う３色のドットの並ぶ順序が同じであり、残りの１つおきの同一走査線に沿う３色のドットの並ぶ順序が前記１つおきの同一走査線に沿う並び順序と一列ずれて配置され
【発明の詳細な説明】
　【０００１】
　【発明の属する技術分野】
　本発明は、カラー液晶表示装置において液晶をインターレース駆動した際に発生するビートノイズ状の斜めスジをマイクロカラーフィルタの配置を工夫して目立たなくする技術に関する。
　【０００２】
　【従来の技術】
　テレビの標準方式の１つとして知られるＮＴＳＣ（Ｎａｔｉｏｎａｌ　Ｔｅｌｅｖｉｇｉｏｎ　Ｓｙｓｔｅｍ　Ｃｏｍｍｉｔｔｅｅ）方式は、走査線数５２５本で秒３０フレームが用いられている。ただし一般的には、フリッカと呼ばれる画面のちらつきを低減するために、１フレームを偶数と奇数のフィールドに２分割し、それぞれのフィールドを順次走査して交互に走査するというインターレース走査が用いられている。
　このインターレース走査を行うと、偶数フィールドでは偶数番目、奇数フィールドでは奇数番目の走査線が表示され、このようにすることで見かけの走査サイクルを２倍にすることができ、フリッカが目立たなくなる。また、インターレース走査方式において、実際の有効画面は走査線数で４８０本程度、水平方向で８０％程度であるために、一般の液晶表示装置において画素構成は、全解像度品で４８０×６４０、いわゆる４８０ライン構成のもの、半解像度品（走査線数を半分しか用いないもの）で２４０×４００程度、いわゆる２４０ラインのものとして製造されている。またここでは液晶表示装置においてインターレース走査を取り入れた方式をインターレース駆動方式と呼ぶ事にする。
　【０００３】
　ここで走査駆動とは、ある水平方向の画素列を選択し、その列に対して表示信号を印加することを示すが、液晶表示装置にあっては、信号印加の際に直流駆動を行うと、イオンが片側の基板にたまり、劣化を招き易いので、これを防ぐために液晶に印加する表示信号をフィールドごとに正負に極性反転させて駆動している。
　そして、ＮＴＳＣ方式のテレビのインターレース走査においては、前述の奇数フィールド（第１フィールド）と偶数フィールド（第２フィールド）を合わせて１フレーム（１画面）が構成されるが、一般にフィールド周波数は６０Ｈｚ、フレーム周波数は３０Ｈｚに設定されている。
　【０００４】
　この走査駆動状態を図６に示す。図６において左側の数値番号（２３〜２６３）は第１フィールドの走査線番号を示し、右側の数値番号（２８５〜５２５）は第２フィールドの走査線番号を示す。なお、図６に示すテレビ表示において、走査線が右下がりに記載してあるのは、実際のテレビにおいては、画面の上から下に走る走査線に従って左上から右下に走査し、１フレームまたは１フィールドの画面が構成されることを意味している。
　【０００５】
　これに対し、現状の液晶表示装置において２４０ラインの代表的なテレビ画面表示状態は、図７に示すように、書き込み周波数を６０Ｈｚと設定し、第１フィールドの走査信号を番号２３、２４、２５〜２６０、２６１、２６２と設定し、第２フィールドの走査信号を番号２８６、２８７、２８８〜５２３、５２４、５２５と設定して、第１フィールドと第２フィールドでの信号を同一走査線に重ねて書き込む単純線順次駆動方式により駆動されている。
　【０００６】
　また、４８０ラインの代表的なテレビ画面表示状態として図８に示すように、書き込み周波数を６０Ｈｚと設定し、第１フィールドの走査信号を番号２３、２４〜２６１、２６２、と設定し、第２フィールドの走査信号を番号２８５、２８６、２８７〜５２３、５２４、５２５と設定して、例えば、走査信号番号２３の信号を上下に隣接する１ｓｔ　ｌｉｎｅと２ｎｄ　ｌｉｎｅの２つのラインに書き込み、順次次の走査信号番号の信号も同じ方法で２つのラインに書き込み、これを順次繰り返して第１フィールドを構成し、他方、第２フィールドにおいては、第１フィールドの際に書き込んだ２つの隣接するラインと異なる組み合わせで２つのラインに同じ手法で順次信号を書き込み、各ラインに見かけ上倍速で信号を入力できる倍速線順次駆動方式により駆動されている。
　【０００７】
　【発明が解決しようとする課題】
　しかしながら、前述したような従来の単純線順次駆動方式あるいは倍速線順次駆動方式ではＮＴＳＣ信号を十分に生かしているとは言えない状況にある。
　そこで、図９に示すように４８０ラインの液晶表示装置において、第１フィールドの走査線番号を２３、２４〜２６１、２６２と設定し、第２フィールドの走査線番号を２８６、２８７〜５２４、５２５と設定し、第１フィールドの信号書き込みと第２フィールドの信号書き込みを書き込み周波数３０Ｈｚとするインターレース駆動方式を直に取り入れようとすると、液晶の表示を１／３０秒保持しなくてはならないことになるが、これにより、以下の利点と欠点を有することになる。
　【０００８】
　まず、利点としては、ライン数が多いので垂直解像度が向上し、しかも、倍速線順次駆動等に比べて低消費電力化を図り、低コスト化を図り得るが、欠点として、液晶の電圧を保持する時間が長くなる影響から、コントラストの低下、フリッカの増大が見込まれる。
　従って今後の液晶表示装置の開発においては、ＮＴＳＣ信号の画像情報を十分に再現しつつ、同時に現状のＴＦＴの性能、設計技術を生かす方向での開発が求められることになる。
　【０００９】
　また、一般にＴＦＴカラー液晶表示装置においては、走査線と信号線をＴＦＴ基板側に、共通電極をカラーフィルタ基板側に配置し、基本的には走査線に走査信号を印加し、信号線には対応する表示信号を送ってマトリクスとしての動作を行い、画素は電荷保持動作により高画質を実現している。
　このようなＴＦＴカラー液晶表示装置において、前述の如く表示信号をフィールド毎に極性反転させる交流駆動を行う場合は、信号線から送る信号を反転して画素に入力するわけであるが、従来、信号の反転にはいくつかの方式がある。最も単純な反転方式として、全画素の電圧極性をフィールド単位で同じ極性に反転させるフィールド反転が知られているが、実際には、正負の極性間で完全に印加電圧を対照にすることはできず、フリッカを誘発することが多い。
　そこで、この反転画素単位を図１０（Ａ）に示すように１信号線ごとにする信号線反転、この反転画素単位を図１０（Ｂ）に示すように１走査線ごとにするゲートライン反転などが採用されているが、更に、これらの方式よりもクロストークや書き込み不足を解消する目的で、図１１に示すように隣接するドット毎に反転するドット反転方式も採用されている。
　【００１０】
　このような背景から、現状で得られる４８０ラインの液晶表示装置において倍速線順次駆動方式からインターレース駆動に転換し、図１２に示す反転駆動を採用してみたところ、１００＞ＣＲ（コントラスト）であった液晶表示装置において８０＞ＣＲとなることが判明した。これは、書き込み周期が長く（２倍）になったために、液晶に実際にかかる実効電圧が低下したためであると思われるが、この点については、より低い電圧で同じ透過率特性が得られる液晶（低Ｖｔｈ（スレッジホールド電圧）対応の液晶）を採用すればこの問題を容易に解消することができる。
　【００１１】
　しかしながら、４８０ラインの液晶表示装置をインターレース駆動により駆動した場合、図１２に示す反転駆動でも解消できないビートノイズのような斜めスジ状の揺らぎが視認されることがわかった。
　そこでこの斜めスジの発生原因について解析を行った。
　【００１２】
　解析した液晶パネルはＴＦＴ液晶表示パネルであって、４８０ラインの表示能力を有し、インターレース駆動されるものである。
　具体的には図１３に示すように、ＴＦＴ回路５と画素電極６とが多数形成され、偏光板７を備えた透明の基板８に対し、共通電極９とカラーフィルタ１０と偏光板１１とを備えた透明の基板１２を所定間隔で対向配置し、両基板８、１２の間の間隙１３に液晶を封入して概略構成されている。
　この解析で用いる液晶パネルのＴＦＴ回路５は、詳細には図１４に示す等価回路で示すように走査線１５と信号線１６とがマトリックス状に多数形成され、各線で囲まれる領域にＴＦＴ本体１７と容量としての液晶１８と蓄積容量１９が接続され、蓄積容量１９が走査線１５に接続された構造とされている。
　【００１３】
　次に、この種のＴＦＴ液晶表示パネルのカラーフィルタの赤、緑および青（以下ＲＧＢと記載）の各ドットの色配置には、図１５（Ａ）に示すようにＲＧＢの各色を右斜め下がりモザイクパターン状に配置したカラーフィルタ２０と、図１５（Ｂ）に示すようにＲＧＢの各色を左斜め下がりモザイクパターン状に配置したカラーフィルタ２１と、図１５（Ｃ）に示すようにＲＧＢの各色を縦一列に配置した縦ストライプパターン状のカラーフィルタ２２と、図１５（Ｄ）に示すようにＲＧＢの各色をトライアングルパターン状に配置したカラーフィルタ２３が知られているが、この解析で用いるカラーフィルタ１０には、図１５（Ｂ）に示すＲＧＢのドットの配置状態のカラーフィルタ２１を適用した。
　【００１４】
　以上の構成のＴＦＴ液晶パネルを用い、インターレース駆動かつ図１２に示す反転駆動を行った場合のマイクロカラーフィルタごしの表示状態の駆動電圧極性の配置を図１６（Ａ）、（Ｂ）、（Ｃ）、（Ｄ）として駆動シーケンス順に示す。この図においては、特に視認性の高いＧの画素に注目しマイクロカラーフィルタのＧのドットの黒斑点塗りの部分に正書き込みがなされ、マイクロカラーフィルタのＧのドットの丸印を付けた部分に負書き込みがなされた状態を示す。
　【００１５】
　これらの図からも明らかなように、ＴＦＴ液晶パネルをインターレース駆動かつ図１２に示したシーケンスで反転駆動した場合において、画素に印加される電圧の非対称性と駆動周波数より１ドットの透過率変動が周りの画素の透過率変動によって打ち消す事ができず、逆に斜め左さがりモザイクのカラーフィルタ配置においては斜め右さがりのスジ状の揺らぎとして視認される。また、この種のスジ状の揺らぎは前述した他のカラーフィルタ配置においても同様である。
　【００１６】
　本発明は前記事情に鑑みてなされたものであり、マイクロカラーフィルタの各ドットの色の配置を特別に工夫することにより、インターレース駆動でのカラー液晶表示装置のビートノイズ状の斜めスジを目立たなくすることができるカラー液晶表示装置を提供することを目的とする。
　【００１７】
　【課題を解決するための手段】
　請求項１記載の発明は前記課題を解決するために、対になる基板においてＴＦＴ回路が一側の基板に設けられ、他側の基板に共通電極とカラーフィルタがそれぞれ設けられ、両基板間に液晶が挾持され、ＴＦＴ回路が走査線と信号線をマトリックス状に配線し走査線と信号線の交差領域にＴＦＴ本体と画素電極を設けて構成されたカラー液晶表示装置であって、１画面を第１フィールドと第２フィールドに２分割し、それぞれのフィールドを順次走査して交互に駆動するインターレース駆動が採用され、前記カラーフィルタは、赤、緑および青の３色の多数のマイクロカラーフィルタを有しており前記マイクロカラーフィルタの色配置は画面全体で均一に分布され、直近
に配置された
、前
なる。
　
請求項２記載の発明は前記課題を解決するために、対になる基板においてＴＦＴ回路が一側の基板に設けられ、他側の基板に共通電極とカラーフィルタがそれぞれ設けられ、両基板間に液晶が挾持され、ＴＦＴ回路が走査線と信号線をマトリックス状に配線し走査線と信号線の交差領域にＴＦＴ本体と画素電極を設けて構成されたカラー液晶表示装置であって、１画面を第１フィールドと第２フィールドに２分割し、それぞれのフィールドを順次走査して交互に駆動するインターレース駆動が採用され、前記カラーフィルタは、赤、緑および青の３色の多数のマイクロカラーフィルタを有しており前記マイクロカラーフィルタの色配置は画面全体で均一に分布され、直近に配置された同色のドットが同一フィールドでは異なる極性の駆動電圧で駆動され、
る。
　【００１８】
　【発明の実施の形態】
　以下、図面を参照して本発明の実施の形態について説明する。
　図１は本発明に係るマイクロカラーフィルタの一構造例を示すものである。この例のマイクロカラーフィルタ３０が、図１３に示すカラー液晶パネル２のマイクロカラーフィルタ９の代わりに搭載されて図２に示す本発明に係るＴＦＴカラー液晶表示装置Ｐが構成される。この例のＴＦＴカラー液晶表示装置Ｐにおいては、先に説明したＴＦＴカラー液晶表示装置２と同一の構成部分には同一符号を付してそれらの部分の説明は省略する。
　【００１９】
　この例で用いられるマイクロカラーフィルタ３０は、図１に示すようにＲＧＢの各ドットが多数縦横に配列された矩形状のものであり、マイクロカラーフィルタの色配置は画面全体でほぼ均一に分布され、同一走査線に対応する横一行の配列において、２つのＧのドットと２つのＢのドットと２つのＲのドットが順序に繰り返し配列されている。従ってこの例のマイクロカラーフィルタ３０にあっては、ＲＧＢの各ドットが横行において２つずつ隣合わせ状態で配列されている。
　【００２０】
　更に、同一信号線に沿う縦一列の配列においては、Ｇのドットからスタートする列においてはＧＲＢの繰り返し、Ｂのドットからスタートする列においてはＢＧＲの繰り返し、Ｒのドットからスタートする列においてはＲＢＧの繰り返しになるようにパターン化されている。
　【００２１】
　前記構成のマイクロカラーフィルタ３０を用いて４８０ラインのＴＦＴ液晶パネルＰにインタレース駆動で図１２に示す反転駆動を行った場合の駆動電圧の極性の配置状態を図３（Ａ）、（Ｂ）、（Ｃ）、（Ｄ）に示す。特に視認性の高いＧの画素に注目し黒塗りの部分が正書込、○印の部分が負書込を示すが、隣接する同色ドットに異なる極性の駆動電圧が書き込まれるのでお互いの透過率変動が相殺され、斜めスジが出にくい表示状態になっている。従ってこの例のマイクロカラーフィルタ３０を用いることで斜めスジの発生を目立たなくすることができる。
　【００２２】
　図４は本発明に係るマイクロカラーフィルタの他の構造例を示すものである。この例のマイクロカラーフィルタ３１が、図１３に示すカラー液晶パネル２のマイクロカラーフィルタ９の代わりに搭載されて図２に示す本発明に係るＴＦＴカラー液晶表示装置Ｐと同等の装置が構成される。この例のＴＦＴカラー液晶表示装置において、先に説明したＴＦＴカラー液晶表示装置２と同一の構成部分には同一符号を付してそれらの部分の説明は省略する。
　【００２３】
　この例のマイクロカラーフィルタ３１は、図４に示すようにＲＧＢのドットが多数縦横に配列された矩形状のものであり、マイクロカラーフィルタの色配置は画面全体でほぼ均一に分布されているとともに、同一走査線に対応する横一行の配列において、上から奇数行が、ＧのドットとＢのドットとＲのドットが繰り返し順序に配列され、上から偶数行においては３色のドットの並ぶ順序が、前記奇数行のドットの並び順序と一列ずれて配置されている。従って、奇数行では左側からＧＢＲの順序に繰り返し配列されるのに対し、偶数行では左側からＲＧＢの順序で繰り返し配列されている。
　【００２４】
　前記構成のマイクロカラーフィルタ３１を用いて４８０ラインのＴＦＴ液晶パネルＰにインタレース駆動で図１２に示す反転駆動をおこなった場合の駆動電圧の極性の配置状態を図５（Ａ）、（Ｂ）、（Ｃ）、（Ｄ）に示す。黒塗りの部分が正書込、○印の部分が負書込を示すが、正負の書込で異なる駆動電圧極性のドットが、ほぼ等間隔で均一に分布し、斜めスジが出にくい表示状態になっている。従ってこの例のマイクロカラーフィルタ３１を用いることで斜めスジの発生を目だたなくすることができる。
　【００２５】
　ところで、図４に示すマイクロカラーフィルタ３１にあっては、奇数行のドットをＧＢＲの順序で配列し、偶数行のドットを奇数行のドットに対して１つずれた配置としたが、奇数行のドットの配列順序は、ＢＧＲの順でもＲＧＢの順序でも同じ効果を奏する。また、奇数行の配置につれて偶数行の配置状態は変わるので、本発明では種々の態様を取ることが可能であり、本発明は図３に示す態様に限るものではないことは勿論である。
　【００２６】
　【発明の効果】
　以上説明したように本発明は、インターレース駆動されるＴＦＴカラー液晶表示装置であって、ドット毎に異なる色のマイクロカラーフィルタが用いられ、その色配置が全体で均一であり、直近
に配置された
　【００２７】
　また、同一走査線について同色ドットを２つずつ続けて配置することで隣接する同色ドットに異なる極性の駆動電圧が書き込まれるのでお互いの透過率変動が相殺され斜めスジを目立たなくすることができる。
　更に、１つおきの同一走査線に沿う３色のドットの並ぶ順序が同じであり、残りの１つおきの同一走査線に沿う３色のドットの並ぶ順序が前記１つおきの同一走査線に沿う並び順序と一列ずれて配置するならば、正書込ドットと負書込ドットを画面上に等間隔で均一に分布できるので、斜めスジを目立たなくすることができる。
【図面の簡単な説明】
　【図１】
　本発明に係るマイクロカラーフィルタの一例を示す平面図である。
　【図２】
　図１に示すマイクロカラーフィルタを備えたＴＦＴカラー液晶表示装置の一例を示す分解斜視図である。
　【図３】
　図１に示すマイクロカラーフィルタの駆動電圧極性の配置の一例を示すもので、図３（Ａ）は第１画面、図３（Ｂ）は第２画面、図３（Ｃ）は第３画面、図３（Ｄ）は第４画面を示す図である。
　【図４】
　本発明に係るマイクロカラーフィルタの他の例を示す平面図である。
　【図５】
　図４に示すマイクロカラーフィルタの駆動電圧極性の配置の一例を示すもので、図５（Ａ）は第１画面、図５（Ｂ）は第２画面、図５（Ｃ）は第３画面、図５（Ｄ）は第４画面を示す図である。
　【図６】
　ＮＴＳＣ方式のテレビ表示におけるインターレース駆動状態を説明するための図である。
　【図７】
　２４０ラインの液晶表示装置の単純線順次駆動において信号書き込み周波数６０Ｈｚの場合の書き込み状態を示す図である。
　【図８】
　４８０ラインの液晶表示装置の倍速線順次駆動において信号書き込み周波数６０Ｈｚの場合の書き込み状態を示す図である。
　【図９】
　４８０ラインの液晶表示装置のインターレース駆動において信号書き込み周波数３０Ｈｚの場合の書き込み状態を示す図である。
　【図１０】
　液晶駆動電圧の反転方式を説明するためのもので、図１０（Ａ）は信号線反転方式による画面の状態を示す図、図１０（Ｂ）はゲートライン反転方式による画面の状態を示す図である。
　【図１１】
　液晶駆動電圧の反転方式を説明するためのもので、ドット反転方式による画面の状態を示す図である。
　【図１２】
　図１２はインターレース駆動時の反転駆動方式を説明するためのもので、図１２（Ａ）は第１画面の駆動電圧分布を示す図、図１２（Ｂ）は第２画面の駆動電圧分布を示す図、図１２（Ｃ）は第３画面の駆動電圧分布を示す図、図１２（Ｄ）は第４画面の駆動電圧分布を示す図である。
　【図１３】
　カラーフィルタを備えたＴＦＴ液晶表示装置の一構造例を示す図である。
　【図１４】
　図１４に示すＴＦＴ液晶表示装置に用いられるＴＦＴの等価回路の一例を示す図である。
　【図１５】
　一般に用いられているマイクロカラーフィルタのＲＧＢ各色配置例を示すもので、図１５（Ａ）は右斜め下がりモザイクパターンを示す図、図１５（Ｂ）は左斜め下がりモザイクパターンを示す図、図１５（Ｃ）は縦ストライプパターンを示す図、図１５（Ｄ）はトライアングルパターンを示す図である。
　【図１６】
　インターレース駆動時の駆動電圧極性の配置を示すもので、図１６（Ａ）は第１画面、図１６（Ｂ）は第２画面、図１６（Ｃ）は第３画面、図１６（Ｄ）は第４画面である。
　【符号の説明】
　Ｐ　カラー液晶表示装置
　５　ＴＦＴ回路
　６　画素電極
　７　偏光板
　８　基板
　９　共通電極
　１１　偏光板
　１２　基板
　１５　走査線
　１６　信号線
　１７　ＴＦＴ本体
　３０、３１　マイクロカラーフィルタ